(57)【要約】【課題】  おしどりを直接押さないで巻真を抜き取る方式での安定性のある構造を得ること。【解決手段】  時計用基台に係合する外部操作部材と、前記外部操作部材の抜け防止を行なう抜け防止部材とを有し、該外部操作部材のリング状溝部に前記抜け防止部材の頭部を係合させることによって前記外部操作部材の抜けを防止すると共に、前記抜け防止部材の尾部を押して前記頭部を浮かせることにより前記抜け防止部材と前記外部操作部材との係合を外し、前記外部操作部材の抜き取り可能とした時計用裏回り機構において、時計用基台１に固定される固定部４ａと、抜け防止部材３の尾部３ｂを押し下げるための押し部４ｂと、該押し部４ｂと固定部４ａを連結するばね部４ｃとを有する固定部材４を設け、押し部４ｂを押し下げることにより抜け防止部材３の尾部３ｂを押し下げ、抜け防止部材３と外部操作部材２との係合を外し、外部操作部２の抜き取りを可能とした。【選択図】      図１
2005274362.tif 000002
【特許請求の範囲】
【請求項１】
時計用基台に係合する外部操作部材と、
前記外部操作部材の抜け防止を行なう抜け防止部材とを有し、
該外部操作部材のリング状溝部に前記抜け防止部材の頭部を係合させることによって前記外部操作部材の抜けを防止すると共に、前記抜け防止部材の尾部を押して前記頭部を浮かせることにより前記抜け防止部材と前記外部操作部材との係合を外し、前記外部操作部材の抜き取り可能とした時計用裏回り機構において、
前記時計用基台に固定される固定部と、前記抜け防止部材の尾部を押し下げるための押し部と、該押し部と固定部を連結するばね部とを有する固定部材を設け、  
前記押し部を押し下げることにより前記抜け防止部材の尾部を押し下げ、前記抜け防止部材と前記外部操作部材との係合を外し、前記外部操作部の抜き取りを可能としたことを特徴とする時計用裏回り機構。
【請求項２】
前記外部操作部材は巻真であり、
前記抜け防止部材は巻真の移動に連動して回動するおしどりであり、
前記固定部材は前記おしどりを可動可能に保持するとともに該おしどりの回動の位置決めをする節度ばね部を一体に形成したことを特徴とする請求項１に記載の時計用裏回り機構。
【請求項３】
前記押し部は前記ばね部を略垂直に曲げることにより剛性を持たせたことを特徴とする請求項１又は請求項２に記載の時計用裏回り機構。
【請求項４】
前記押し部の作用点は前記抜け防止部材の尾部より前記ばね部側に設けたことを特徴とする請求項１乃至請求項３のいずれかに記載の時計用裏回り機構。
【発明の詳細な説明】
【技術分野】
【０００１】
本発明は、外部操作部材として巻真を使用した時計用裏回り機構の改良に関する。
【背景技術】
【０００２】
従来、外部操作部材として巻真を使用した時計用裏回り機構において、巻真のリング状溝におしどりの頭部を係合させ巻真の抜け防止を行っている。前記巻真の取り外し方法は、おしどりの尾部をピンセットなどで直接押し、おしどりの受面に設けられた段差部でおしどりを傾けることによっておしどりの頭部を浮かし、巻真のリング状溝へのおしどりの頭部の係合を外すことによって巻真の抜き取りを可能にすることによって行っている（例えば、特許文献１参照。）。
【０００３】
また、おしどりを直接的に押さない方法として、専用の巻真着脱用部材を設置し、その操作によりおしどりの尾部を押し下げ、前記特許文献１と同様に、おしどりを傾けることによって頭部を巻真のリング状溝から浮かせるようにしたものも有る（例えば、特許文献２参照。）。
【０００４】
【特許文献１】実公平６−４８４６２号公報（第２−３頁、第１図、第２図）
【特許文献２】特開２００３−１３０９６５号公報（第２−３頁、図１）
【０００５】
特許文献１の腕時計の裏機構は、従来の巻真を使用した時計用裏回り機構である。なお、特許文献１で使用している番号と名称に関してはそのまま使用して説明し、図面に関しては図示しない。
【０００６】
特許文献１の腕時計の裏機構において、時計用基台である地板１０の穴に巻真１１が係合し、巻真１１のリング状溝部におしどり１２の頭部が係合して巻真１１の抜け防止をしている。地板１０のおしどり受面には段差部が有り、おしどり１２の尾部（１２ｂ部分）の下面側に隙間が設けてある。
【０００７】
巻真１１を地板１０から抜き取る場合は、下面側に隙間が有る尾部１２ｂをピンセットなどで押し下げると、段差部の効果によりおしどり１２が傾いて行き、おしどり１２の頭部が巻真１１のリング状溝から外れ、巻真１１が自由に動くようになり、その結果、巻真１１の抜き取りが可能となる。
【０００８】
特許文献２の巻真取り外し機構は、他の従来例を示す巻真を使用した時計用裏回り機構で、おしどりを直接操作せず、別に設置した専用の巻真着脱用部材を介しておしどりを操作する例であり、おしどりから離れた場所で巻真の抜き取り操作をしなければならないときに必要な機構である。なお、特許文献１と同様に特許文献２で使用している番号と名称に関してはそのまま使用して説明し、図面に関しては図示しない。
【０００９】
巻真３を時計用基台から抜き取る場合は、着脱レバー１の力点１ａをピンセットなどで押し下げると、着脱レバー１が回動し、作用点１ｂがオシドリ２の操作端２ｂを押すので、特許文献１の例と同様にオシドリ２が傾き、頭部である係合端２ａが巻真３のリング状溝部である凹部３ａから外れるので、巻真３の抜き取りが可能となる。
【発明の開示】
【発明が解決しようとする課題】
【００１０】
このように、従来技術のおしどりを直接押す構造では尾部の上面に部品が配置された場合に操作が難しくなり、一方、専用の巻真着脱用部材を配置して離れた場所から操作するようにした他の従来例ではその固定方法などで苦労することになる。本発明の目的は、おしどりから離れた場所での着脱操作を行う場合の、上述の欠点を解消する、裏回り機構を提供することにある。
【課題を解決するための手段】
【００１１】
本発明は、上記目的を達成するため、時計用基台に係合する外部操作部材と、前記外部操作部材の抜け防止を行う抜け防止部材とを有し、該外部操作部材のリング状溝部に前記抜け防止部材の頭部を係合させることによって前記外部操作部材の抜け防止をすると共に、前記抜け防止部材の尾部を押して前期頭部を浮かせることにより前記抜け防止部材と前記外部操作部材との係合を外し、前記外部操作部材の抜き取りを可能とした時計用裏回り機構において、前記時計用基台に固定される固定部と、前記抜け防止部材の尾部を押し下げるための押し部と、該押し部と固定部を連結するばね部とを有する固定部材を設け、前記押し部を押し下げることにより前記抜け防止部材の尾部を押し下げ、前記抜け防止部材と前記外部操作部材との係合を外し、前記外部操作部材の抜き取りを可能としたことを特徴とする。
【００１２】
このように、固定部と押し部をばね部で連結した構造の固定部材とすることにより、該固定部材は固定部で時計用基台にしっかりと固定される部品となるとともに、押し部を可動部としておしどりの尾部を押し下げる操作を行うことが可能となる。
【００１３】
また、前記外部操作部材は巻真であり、前記巻真抜け防止部材は巻真の移動に連動して回動するおしどりであり、前記固定部材は前記おしどりを稼働可能に保持するとともに該おしどりの回動の位置決めをする節度ばね部を一体に形成したことを特徴とする。
【００１４】
こうすることにより、おしどりの回動位置決めをするために設置された固定部材に、おしどりの尾部を押し下げる押し部の機能を付与させたことになり、特に部品を増やすことなく機能を追加することができる。
【００１５】
さらに、前記押し部は前記ばね部を略垂直に曲げることにより剛性を持たせたことを特徴とする。
【００１６】
こうした構成とすることで押し部の剛性を高め、おしどりの尾部を押す操作の安定化が図れる。
【００１７】
さらに、前記押し部の作用点を前記おしどりの尾部より前記ばね部側に設けたことを特徴とする。
【００１８】
こうすることで、巻真を抜くときの操作位置を更におしどりからはなれた位置に設定することを可能にする。
【発明の効果】
【００１９】
以上のように、巻真を抜き取るときに使用するおしどり尾部を押す押し部と固定部とをばね部で連結した構造とすることにより、固定部材を固定部で時計用基台にしっかり取り付けて配置できるので、おしどりの回動の位置決めをする節度ばね部材や、回路を押さえるために配置される回路押さえ板のように、他の機能で配置された固定部品と一体におしどりを押し下げる機能部を付加することが容易となるものである。
【発明を実施するための最良の形態】
【００２０】
図１は本発明の一実施例を示す裏回り機構の要部平面図、図２は図１の要部断面図であり、以下、図面により本発明の実施形態について詳述する。
【実施例１】
【００２１】
１は時計用基台で、外部操作部材である巻真２は時計用基台１の穴１ａに係合している。時計用基台１に植設された軸１ｅに係合し回動する抜け防止部材であるおしどり３は、頭部３ａが巻真２のリング状溝部２ａに係合している。従って、この状態では巻真２はおしどり３と係合しており、巻真２の抜けを防止している。
【００２２】
巻真２の角カット部２ｂには周知のつづみ車５が係合し、時・分・秒などの指針の修正を行う（図示せず）。また、時計用基台１のおしどり受面１ｂには段差部１ｃが有り、おしどり３の尾部３ｂ側の下面側には隙間１ｄが設けてある。
【００２３】
４は固定部材で、時計用基台１に固定部４ａをねじ６で固定され、固定部材４に設けた節度ばね部４ｅがおしどり３のダボ３ｃに係合し、おしどり３の回動の位置決めをしている。固定部材４の固定部４ａからばね部４ｃが伸びており、ばね部４ｃの先端部には略垂直に曲げることにより剛性を持たせた押し部４ｂを形成し、押し部４ｂの先端をおしどり３の尾部３ｂの略上方に配置している。又、押し部４ｂのばね部４ｃ側には凹部４ｄが設置され、ドライバーなどでの押しの操作性を良くすると共に、おしどり３の尾部３ｂの上方からずれた位置である凹部４ｄを押すことにより、おしどり３の尾部３ｂを押し部４ｂの先端で押すことを可能としている。
【００２４】
以上のように、ばね部４ｃの先端部を略垂直に曲げることにより剛性を持たせているため、弾性と剛性を要求されるばね部４ｃと押し部４ｂが連続する固定部材４をプレス等を使って板状部材から簡単に加工することが可能となり、凹部４ｄも簡単に形成できる。
【００２５】
巻真２を時計用基台１から抜き取る場合に、押し部４ｂの凹部４ｄをドライバーなどで押すと、ばね部４ｃが撓んで押し部４ｂはおしどりの尾部３ｂに当接し、更に押すとおしどりの尾部３ｂが隙間１ｄを下方に下がって行き、段部１ｃのてこ作用によりおしどり３は傾いていく。更に押し続けると、その結果、おしどり３の頭部３ａは巻真２のリング状溝２ａから外れる位置まで浮き上がり、巻真２の抜き取りが可能となる。
この時、押し部４ｂを押したドライバーを外せば、押し部４ｂはばね部４ｃの復元力により元の位置に復帰する。
【００２６】
なお、本発明は節度ばね部材と一体に押し部材を形成する例で示したが、固定される金属板なら何にでも一体化できる構造である事は明らかであり、回路を押さえる板、電池を押さえる板など、何にでも一体化が可能である。
【図面の簡単な説明】
【００２７】
【図１】本発明の一実施例を示す裏回り機構の要部平面図である。
【図２】図１の要部断面図である。
【符号の説明】
【００２８】
１  時計用基台
１ａ  穴
１ｂ  おしどり受面
１ｃ  段差部
１ｄ  隙間
２  巻真
２ａ  リング状溝部
３  おしどり
３ａ  頭部
３ｂ  尾部
３ｃ  ダボ
４  固定部材
４ａ  固定部
４ｂ  押し部
４ｃ  ばね部
４ｄ  凹部
４ｅ  節度ばね部材
【図１】
2005274362.tif 000003
【図２】
2005274362.tif 000004